(57)【要約】【課題】凸部が目視側前面に形成された計器用表示板において、凸部の背景部と凸部の側面部を別工程で形成することが可能な計器用表示板の製造方法を提供する。【解決手段】計器用表示板１の製造方法は、基板２と、基板２の目視側前面２１に形成された凸部３と、前面２１に形成され、凸部３の背景を構成する背景層２２と、凸部３の側面３１に形成された側面層３２とを備えた計器用表示板１の製造方法であって、背景層２２を形成する第１印刷工程と、デジタル印刷により側面層３２を形成する第２印刷工程とを備える。これにより、表示意匠の形状で凸部が目視側前面に形成された計器用表示板において、凸部の背景部と凸部の側面部を別工程で形成できる。【選択図】図３
2009036638.tif 000002
【特許請求の範囲】
【請求項１】
基板と、該基板の目視側前面に形成された凸部と、該前面に形成され、該凸部の背景を構成する背景層と、該凸部の側面に形成された側面層とを備えた計器用表示板の製造方法であって、
前記背景層を形成する第１印刷工程と、
デジタル印刷により前記側面層を形成する第２印刷工程とを備えることを特徴とする計器用表示板の製造方法。
【請求項２】
デジタル印刷により前記前面に前記凸部を形成する凸部形成工程を備えることを特徴とする請求項１に記載の計器用表示板の製造方法。
【請求項３】
前記背景層の色調と前記側面層の色調が互いに異なることを特徴とする請求項１または請求項２に記載の計器用表示板の製造方法。
【請求項４】
前記側面層の上面を前記前面に対して傾斜させて該側面層を形成することを特徴とする請求項１ないし請求項３のいずれか一項に記載の計器用表示板の製造方法。
【請求項５】
前記基板と前記凸部は、透光性を有することを特徴とする請求項１ないし請求項４のいずれか一項に記載の計器用表示板の製造方法。
【請求項６】
前記背景層の色調と前記側面層の色調の両方と色調が異なり且つ透光性を有する頂面層を、デジタル印刷により前記凸部の頂面に形成する第３印刷工程を備えることを特徴とする請求項５に記載の計器用表示板の製造方法。
【請求項７】
凹部が目視側前面に形成された基板と、該前面に形成され、該凹部の背景を構成する背景層と、該凹部の側面に形成された側面層とを備えた計器用表示板の製造方法であって、
前記背景層を形成する第１印刷工程と、
デジタル印刷により前記側面層を形成する第２印刷工程とを備えることを特徴とする計器用表示板の製造方法。
【請求項８】
前記背景層の色調と前記側面層の色調が互いに異なることを特徴とする請求項７に記載の計器用表示板の製造方法。
【請求項９】
前記側面層の上面を前記前面に対して傾斜させて該側面層を形成することを特徴とする請求項７または請求項８に記載の計器用表示板の製造方法。
【請求項１０】
前記基板は、透光性を有することを特徴とする請求項７ないし請求項９のいずれか一項に記載の計器用表示板の製造方法。
【請求項１１】
前記背景層の色調と前記側面層の色調の両方と色調が異なり且つ透光性を有する底面層を、デジタル印刷により前記凹部の底面に形成する第３印刷工程を備えることを特徴とする請求項１０に記載の計器用表示板の製造方法。
【請求項１２】
基板と、該基板の目視側前面に形成され、開口を有する背景層と、該開口の全周に沿って該前面と該背景層のいずれかに形成され、該開口の輪郭を構成する輪郭層とを備え、該輪郭層の層厚が該背景層の層厚より厚く設定された計器用表示板の製造方法であって、
前記背景層を形成する第１印刷工程と、
デジタル印刷により前記輪郭層を形成する第２印刷工程とを備えることを特徴とする計器用表示板の製造方法。
【請求項１３】
前記背景層の色調と前記輪郭層の色調が互いに異なることを特徴とする請求項１２に記載の計器用表示板の製造方法。
【請求項１４】
前記輪郭層の内側面を前記前面に対して傾斜させて該輪郭層を形成することを特徴とする請求項１２または請求項１３に記載の計器用表示板の製造方法。
【請求項１５】
前記基板は、透光性を有することを特徴とする請求項１２ないし請求項１４のいずれか一項に記載の計器用表示板の製造方法。
【請求項１６】
前記背景層の色調と前記輪郭層の色調の両方と色調が異なり且つ透光性を有する表示層を、前記輪郭層によって囲まれた前記前面にデジタル印刷により形成する第３印刷工程を備えることを特徴とする請求項１５に記載の計器用表示板の製造方法。
【発明の詳細な説明】
【技術分野】
【０００１】
本発明は、凸部または凹部が目視側前面に形成された計器用表示板の製造方法に関するものである。
【背景技術】
【０００２】
近年、計器用表示板の見映えや視認性を向上させるため、様々な方法が提案されている。例えば、本出願人は、表示意匠を立体的に発光表示させる計器用表示板を開示している（特許文献１を参照）。
【０００３】
これは、文字や目盛の形状で凸部が形成されたリング状の加飾体を備え、この凸部を透過照明することによって、文字や目盛を立体的に発光表示させる計器用表示板である。加飾体のリング母材は、透光性樹脂から形成され、凸部を樹脂成形により形成する。凸部が形成されたリング母材に金属層を形成し、凸部の頂面の金属層を除去することにより露出面を形成する。この露出面から透過された照明光が、文字や目盛を立体的に発光表示させ、これにより、計器用表示板の見映えや視認性を向上させることができる。
【特許文献１】特開２００６−３１３０９５号公報
【発明の開示】
【発明が解決しようとする課題】
【０００４】
しかし、上記従来技術では、凸部の側面部と凸部の背景部を、凸部が形成されたリング母材に金属層を形成するという同一工程で形成している。このため、側面部と背景部が同一の色調（明度と色相の少なくともいずれか）となり、計器用表示板の見映えや視認性を向上させる点において一定の限界がある。また、この問題は、表示意匠の形状で形成された凸部に限らず、種々の形状で形成された凸部や凹部が形成された計器用表示板に共通する問題である。
【０００５】
本発明は、このような事情を考慮してなされたものであり、凸部または凹部が目視側前面に形成された計器用表示板において、凸部または凹部の背景部と凸部または凹部の側面部を別工程で形成することが可能な計器用表示板の製造方法を提供することを目的とする。
【課題を解決するための手段】
【０００６】
本発明は上記目的を達成するため、以下の技術的手段を採用する。
【０００７】
請求項１に記載の計器用表示板の製造方法は、基板と、基板の目視側前面に形成された凸部と、前面に形成され、凸部の背景を構成する背景層と、凸部の側面に形成された側面層とを備えた計器用表示板の製造方法であって、背景層を形成する第１印刷工程と、デジタル印刷により側面層を形成する第２印刷工程とを備えることを特徴とする。
【０００８】
この製造方法では、第１印刷工程において背景層を基板の目視側前面に形成し、第２印刷工程において、様々な立体構造体に対して印刷することが可能なデジタル印刷によって、側面層を凸部の側面に形成する。これにより、背景層と側面層を別工程で形成でき、このため、凸部の背景部と凸部の側面部を別工程で形成できる。
【０００９】
請求項２に記載の計器用表示板の製造方法は、デジタル印刷により前面に凸部を形成する凸部形成工程を備えることを特徴とする。これにより、様々な形状で印刷することが可能なデジタル印刷によって、様々な形状で凸部を簡易に形成することが可能になる。
【００１０】
請求項３に記載の計器用表示板の製造方法は、背景層の色調と側面層の色調が互いに異なることを特徴とする。これにより、凸部の背景部と凸部の側面部を互いに異なる色調にすることができる。
【００１１】
請求項４に記載の計器用表示板の製造方法は、側面層の上面を前面に対して傾斜させて側面層を形成することを特徴とする。これにより、凸部の見映えを簡易に高めることができる。
【００１２】
請求項５に記載の計器用表示板の製造方法は、基板と凸部が、透光性を有することを特徴とする。これにより、照明光が基板と凸部を透過して、凸部の頂面から出射することが可能になる。このため、凸部を立体的に発光表示させることができる。
【００１３】
請求項６に記載の計器用表示板の製造方法は、背景層の色調と側面層の色調の両方と色調が異なり且つ透光性を有する頂面層を、デジタル印刷により凸部の頂面に形成する第３印刷工程を備えることを特徴とする。これにより、頂面層から照明光を、背景層と側面層の両方と異なる色調に着色して出射させることが可能になる。このため、凸部を強調して立体的に発光表示させることが可能になる。
【００１４】
請求項７に記載の計器用表示板の製造方法は、凹部が目視側前面に形成された基板と、前面に形成され、凹部の背景を構成する背景層と、凹部の側面に形成された側面層とを備えた計器用表示板の製造方法であって、背景層を形成する第１印刷工程と、デジタル印刷により側面層を形成する第２印刷工程とを備えることを特徴とする。
【００１５】
この製造方法では、第１印刷工程において背景層を基板の目視側前面に形成し、第２印刷工程において、様々な立体構造体に対して印刷することが可能なデジタル印刷によって、側面層を凹部の側面に形成する。これにより、背景層と側面層を別工程で形成でき、このため、凹部の背景部と凹部の側面部を別工程で形成できる。
【００１６】
請求項８に記載の計器用表示板の製造方法は、背景層の色調と側面層の色調が互いに異なることを特徴とする。これにより、凹部の背景部と凹部の側面部を互いに異なる色調にすることができる。
【００１７】
請求項９に記載の計器用表示板の製造方法は、側面層の上面を前面に対して傾斜させて側面層を形成することを特徴とする。これにより、凹部の見映えを簡易に高めることができる。
【００１８】
請求項１０に記載の計器用表示板の製造方法は、基板が、透光性を有することを特徴とする。これにより、照明光が基板を透過して、凹部の底面から出射することが可能になる。このため、凹部を立体的に発光表示させることができる。
【００１９】
請求項１１に記載の計器用表示板の製造方法は、背景層の色調と側面層の色調の両方と色調が異なり且つ透光性を有する底面層を、デジタル印刷により凹部の底面に形成する第３印刷工程を備えることを特徴とする。これにより、底面層から照明光を、背景層と側面層の両方と異なる色調に着色して出射させることが可能になる。このため、凹部を強調して立体的に発光表示させることが可能になる。
【００２０】
請求項１２に記載の計器用表示板の製造方法は、基板と、基板の目視側前面に形成され、開口を有する背景層と、開口の全周に沿って前面と背景層のいずれかに形成され、開口の輪郭を構成する輪郭層とを備え、輪郭層の層厚が背景層の層厚より厚く設定された計器用表示板の製造方法であって、背景層を形成する第１印刷工程と、デジタル印刷により輪郭層を形成する第２印刷工程とを備えることを特徴とする。
【００２１】
この製造方法では、第１印刷工程において開口を有する背景層を基板の目視側前面に形成し、第２印刷工程において、様々な形状で印刷することが可能なデジタル印刷によって、開口の輪郭を構成し、且つ、背景層の層厚より厚い層厚の輪郭層を、開口の全周に沿って基板の前面と背景層のいずれかに形成する。これにより、輪郭層によって囲まれた基板の目視側前面と輪郭層の内側面とによって、凹部が構成され、開口を有する背景層が、この凹部の背景を構成する。これにより、凹部の背景部と、輪郭層の内側面による凹部の側面部を別工程で形成できる。
【００２２】
請求項１３に記載の計器用表示板の製造方法は、背景層の色調と輪郭層の色調が互いに異なることを特徴とする。これにより、凹部の背景部と凹部の側面部を互いに異なる色調にすることができる。
【００２３】
請求項１４に記載の計器用表示板の製造方法は、輪郭層の内側面を前面に対して傾斜させて輪郭層を形成することを特徴とする。これにより、凹部の見映えを簡易に高めることができる。
【００２４】
請求項１５に記載の計器用表示板の製造方法は、基板が、透光性を有することを特徴とする。これにより、照明光が基板を透過して、輪郭層によって囲まれた基板の目視側前面から出射することが可能になる。このため、凹部を立体的に発光表示させることができる。
【００２５】
請求項１６に記載の計器用表示板の製造方法は、背景層の色調と輪郭層の色調の両方と色調が異なり且つ透光性を有する表示層を、輪郭層によって囲まれた前面にデジタル印刷により形成する第３印刷工程を備えることを特徴とする。これにより、表示層から照明光を、背景層と側面層の両方と異なる色調に着色して出射させることが可能になる。このため、凹部を強調して立体的に発光表示させることが可能になる。
【発明を実施するための最良の形態】
【００２６】
以下、本発明による計器用表示板を、自動車に搭載されるコンビネーションメータに適用した場合を例に図面に基づいて説明する。
【００２７】
図１に示すコンビネーションメータ１０は、当該自動車の走行速度を表示する速度計を構成し、本発明の一実施形態による計器用表示板である文字盤１と、指針２０とを備える。指針２０は、文字盤１の目視側前面に沿って回動し、文字盤１は、表示意匠である文字の形状で形成された凸部である第１凸部３と、表示意匠である目盛の形状で形成された凸部である第２凸部４とを備える。コンビネーションメータ１０は、文字盤１と、第１凸部３と第２凸部４とを指し示して回動する指針２０とによって、走行速度を表示する。
【００２８】
文字盤１は、図３に示すように、透光性を有する基板２と、透光性を有する第１凸部３と、背景層２２と、側面層３２と、図３には示されていないが、透光性を有する第２凸部４と、第２凸部４の側面層とを備える。以下、図３において、第１凸部３を中心に説明する。
【００２９】
基板２は、透光性を有するポリカーボネート樹脂等から形成され、第１凸部３は、基板２の目視側前面２１にデジタル印刷による第３印刷工程よって、透光性を有するアクリル樹脂等から形成される。デジタル印刷は、インクジェットプリントとも呼ばれ、例えば無色透明なアクリル樹脂系のインクを、図示しないヘッドに設けられているノズルと呼ばれる小さな穴から、ピエゾジェット方式やサーマルジェット方式で小さなドットとして繰り返し発射する印刷方式である。
【００３０】
このため、デジタル印刷は、様々な立体構造体に対して、様々な形状で印刷することが可能となる。また、デジタル印刷は、小さなドットを繰り返し積み上げることが可能であるため、スクリーン印刷やパッド印刷等と比較して、より厚さのある形状で印刷することが可能となる。
【００３１】
尚、第１凸部３を、基板２と一体的に樹脂成形で形成することも可能であるが、この製法と比較して、デジタル印刷によれば、様々な形状で第１凸部３を簡易に形成することが可能になる。
【００３２】
第１凸部３の背景を構成する背景層２２も、基板２の目視側前面２１にデジタル印刷による第１印刷工程によって形成される。尚、第１凸部３を形成する前に背景層２２を形成する場合、デジタル印刷によらないスクリーン印刷等による第１印刷工程によって、背景層２２を形成できる。この場合、スクリーン印刷等によって背景層２２を形成した後、デジタル印刷によって第１凸部３を形成する。
【００３３】
側面層３２は、背景層２２の色調（明度と色相の少なくともいずれか）と色調が異なり、デジタル印刷による第２印刷工程によって第１凸部３の側面３１に形成される。例えば、背景層２２の色調を遮光性の濃いグレーとし、側面層３２の色調を濃いグレーと異なる遮光性のシルバー色とする。
【００３４】
このように、様々な立体構造体に対して印刷することが可能なデジタル印刷によって、背景層２２の濃いグレーと異なるシルバー色の側面層３２を、第１凸部３の側面３１に形成する。これにより、第１凸部３の背景部、即ち、背景層２２と、第１凸部３の側面部、即ち、側面層３２を別工程で形成できるため、互いに異なる色調にすることができる。
【００３５】
また、基板２と第１凸部３が透光性を有するため、文字盤１の背後側から照明光を基板２と第１凸部３内に導いて、第１凸部３の頂面３３から目視側へ照明光を出射させることが可能になる。具体的に、文字盤１の背後に配置されて、プリント基板４０に実装されている発光ダイオード３０が発した光を、光路Ｐ１にしたがって、基板２と第１凸部３を透過させ、第１凸部３の頂面３３から目視側へ出射させる。これにより、第１凸部３、即ち、文字を立体的に発光表示させることが可能になる。
【００３６】
したがって、濃いグレーの背景層２２を背景として、濃いグレーと異なるシルバー色の側面部を有する第１凸部３が、その頂面３３が発光して目視される。このため、文字盤２の見映えや視認性を向上できる。
【００３７】
尚、第２凸部４と第２凸部４の側面層も、第１凸部３および側面層３２と同様にして形成され、上述と同様の効果を得ることができる。
【００３８】
以上、本実施形態による計器用表示板である文字盤１の製造方法は、基板２と、基板２の目視側前面２１に形成された凸部である第１凸部３と、前面２１に形成され、第１凸部３の背景を構成する背景層２２と、第１凸部３の側面３１に形成された側面層３２とを備えた文字盤１の製造方法であって、背景層２２を形成する第１印刷工程と、デジタル印刷により側面層３２を形成する第２印刷工程とを備える。
【００３９】
これにより、凸部が目視側前面に形成された計器用表示板において、凸部の背景部と凸部の側面部を別工程で形成することができる。
【００４０】
（第１変形例）
第１変形例では、第１凸部３の代わりに、図４に示すように、文字の形状で形成された凹部である第１凹部５が、透光性を有する基板２と一体的に樹脂成形によって基板２の目視側前面２１に形成される。
【００４１】
第１凹部５の背景を構成する背景層２２は、基板２の目視側前面２１にデジタル印刷によらないスクリーン印刷等による第１印刷工程によって形成される。側面層５２は、背景層２２の色調と色調が異なり、デジタル印刷による第２印刷工程によって第１凹部５の側面５１に形成される。例えば、背景層２２の色調を遮光性の濃いグレーとし、側面層５２の色調を濃いグレーと異なる遮光性のシルバー色とする。
【００４２】
このように、様々な立体構造体に対して印刷することが可能なデジタル印刷によって、背景層２２の濃いグレーと異なるシルバー色の側面層５２を、第１凹部５の側面５１に形成する。これにより、第１凹部５の背景部、即ち、背景層２２と、第１凹部５の側面部、即ち、側面層５２を別工程で形成できるため、互いに異なる色調にすることができる。
【００４３】
また、基板２が透光性を有するため、文字盤１の背後側から照明光を基板２内に導いて、第１凹部５の底面５３から目視側へ照明光を出射させることが可能になる。具体的に、文字盤１の背後に配置されて、プリント基板４０に実装されている発光ダイオード３０の発した光が、光路Ｐ２にしたがって、基板２を透過し、第１凹部５の底面５３から目視側へ出射することが可能になる。これにより、第１凹部５、即ち、文字を立体的に発光表示させることができる。
【００４４】
したがって、濃いグレーの背景層２２を背景として、濃いグレーと異なるシルバー色の側面部を有する第１凹部５が、その底面５３が発光して目視される。このため、文字盤２の見映えや視認性を向上できる。
【００４５】
尚、目盛の形状で形成された凹部である図示しない第２凹部と第２凹部の側面層も、第１凹部５および側面層５２と同様にして形成され、上述と同様の効果を得ることができる。
【００４６】
（第２変形例）
第２変形例では、第１凸部３と側面層３２の代わりに、図５に示すように、輪郭層である第１輪郭層６が、基板２の目視側前面２１に形成され、第１凸部３も第１凹部５も形成されない。
【００４７】
背景層２２は、文字の形状の開口２３を有し、透光性を有する基板２の目視側前面２１に、デジタル印刷によらないスクリーン印刷等による第１印刷工程によって形成される。
【００４８】
背景層２３の層厚Ｔ１より厚い層厚Ｔ２を有する第１輪郭層６は、開口２３の輪郭を構成し、開口２３の全周に沿って基板２の目視側前面２１に、デジタル印刷による第２印刷工程によって形成される。尚、第１輪郭層６を、開口２３の全周に沿って背景層２２上に形成することも可能である。第１輪郭層６は、背景層２２の色調と色調が異なり、例えば、背景層２２の色調を遮光性の濃いグレーとし、第１輪郭層６の色調を濃いグレーと異なる遮光性のシルバー色とする。
【００４９】
このように、文字の形状の開口２３を有する背景層２２を基板２の目視側前面２１に形成し、スクリーン印刷やパッド印刷等と比較して、より厚さのある形状で印刷することが可能なデジタル印刷によって、開口２３の輪郭を構成し、且つ、背景層２３の層厚Ｔ１より厚い層厚Ｔ２の第１輪郭層６を、開口２３の全周に沿って基板２の目視側前面２１に形成する。これにより、第１輪郭層６によって囲まれた基板２の目視側前面２１と第１輪郭層６の内側面６１とによって、文字の形状の凹部が構成され、文字の形状の開口２３を有する背景層２２が、この凹部の背景を構成する。また、デジタル印刷によって、凹部の背景部、即ち、背景層２２と凹部の側面部、即ち、第１輪郭層６を別工程で形成できるため、互いに異なる色調にすることができる。
【００５０】
尚、基板２が透光性を有するため、文字盤１の背後側から照明光を基板２内に導いて、第１輪郭層６によって囲まれた基板２の目視側前面２１から目視側へ照明光を出射させることが可能になる。具体的に、文字盤１の背後に配置されて、プリント基板４０に実装されている発光ダイオード３０の発した光が、光路Ｐ３にしたがって、基板２を透過し、第１輪郭層６によって囲まれた基板２の目視側前面２１から目視側へ出射することが可能になる。これにより、第１輪郭層６によって囲まれた基板２の目視側前面２１と第１輪郭層６の内側面６１とによって構成された凹部、即ち、文字を立体的に発光表示させることができる。
【００５１】
したがって、濃いグレーの背景層２２を背景として、濃いグレーと異なるシルバー色の側面部を有する凹部が、第１輪郭層６によって囲まれた基板２の目視側前面２１が発光して目視される。このため、文字盤２の見映えや視認性を向上できる。
【００５２】
目盛の形状の図示しない開口と、この開口の輪郭を構成する図示しない第２輪郭層も、開口２３および第１輪郭層６と同様にして形成され、上述と同様の効果を得ることができる。
【００５３】
（第３変形例）
第３変形例では、図６に示すように、頂面層３４を、第１凸部３の頂面３３に形成する。頂面層３４の色調は、背景層２２の色調と側面層３２の色調の両方と異なり、例えば、頂面層３４を、背景層２２の濃いグレーと側面層３２のシルバー色の両方と色調が異なる透光性の赤色とする。頂面層３４は、デジタル印刷による第３印刷工程で第１凸部３の頂面３３に形成される。
【００５４】
このように、様々な立体構造体に対して印刷することが可能なデジタル印刷によって、背景層２２の濃いグレーと側面層３２のシルバー色の両方と異なる透光性の赤色の頂面層３４を、第１凸部３の頂面３３に形成する。また、基板２と第１凸部３と頂面層３４とが透光性を有するため、文字盤１の背後側から照明光を基板２と第１凸部３内に導いて、頂面層３４から目視側へ照明光を出射させることが可能になる。
【００５５】
具体的に、文字盤１の背後に配置されて、プリント基板４０に実装されている発光ダイオード３０が発した白色光を、光路Ｐ４にしたがって、基板２と第１凸部３を透過させ、背景層２２の濃いグレーと側面層３２のシルバー色の両方と異なる赤色に着色して出射させることが可能になる。このため、第１凸部３、即ち、文字を強調して立体的に発光表示させることが可能になる。
【００５６】
尚、第２凸部４の図示しない頂面にも図示しない頂面層が、頂面層３４と同様にして形成され、上述と同様の効果を得ることができる。
【００５７】
また、頂面層３４の代わりに、図示しない例えば透光性で赤色の背面層を、デジタル印刷によらないスクリーン印刷等によって基板２の背面２４に形成することも可能である。これによっても、上述と同様の効果を得ることができる。
【００５８】
また、上述の例では、凸部３、４または凹部５、６の背景部２２と凸部３，４または凹部５、６の側面部３２，５２、６１を、互いに異なる色調（色相と明度の少なくともいずれか）としたが、本発明は、これに限らない。即ち、様々な立体構造体に対して、様々な形状で印刷することが可能なデジタル印刷を利用することによって、背景部２２と側面部３２，５２，６１を別工程で形成することが可能となり、これによる効果の一つとして、背景部２２と側面部３２，５２、６１を、互いに異なる色調とすることが可能になる。したがって、本発明では、背景部２２と側面部３２，５２、６１を、同一の色調とすることも可能である。
【００５９】
（他の変形例）
上述の例では、凸部３，４や凹部５、６を、表示意匠である文字や目盛の形状で形成したが、これに限らない。例えば、図７と図８に示すように、凸部である第３凸部７を円柱状に形成して、ウォーニングを表示させる窓とすることも可能である。
【００６０】
具体的には、図８において、照明光を拡散させて文字盤１内に均一に導入させる光拡散層８２と、照明光を遮光する不透過層８３は、スクリーン印刷等によって基板２の背面２４に形成される。背景層２２と着色層８と半透過層８１は、基板２の目視側前面２１にデジタル印刷によらないスクリーン印刷等による第１印刷工程によって形成される。背景層２２は、ウォーニングマークの形状の開口２５と、ターンインジケータの形状の開口２６を有し、例えば赤色で透光性を有する着色層８が、開口２５，２６内に形成される。半透過層８１は、曇りガラス調のスモーク層やハーフミラー層として形成される。
【００６１】
曇りガラス調（スモーク調）の第３凸部７は、デジタル印刷による凸部形成工程によって形成され、シルバー色の側面層７２は、デジタル印刷による第２印刷工程によって第３凸部７の側面７１に形成される。側面層７２の上面７３を基板２の目視側前面２１に対して傾斜させるように、側面層７２は形成される。
【００６２】
図示しない発光ダイオードが消燈している際、開口２５は、スモーク調の第３凸部７によって目立たなくなり、開口２６は、半透過層８１によって目立たなくなる。一方、発光ダイオードが点燈すると、光拡散層８２から導入された照明光が、開口２５と第３凸部７を透過してウォーニングとして目視される。発光ダイオードが点燈して、光拡散層８２から導入された照明光が、開口２６と半透過層８１を透過してターンインジケータとして目視される。尚、開口２５，２６は、図示しない遮光版によって個別に透過照明されるように構成される。
【００６３】
また、側面層７２の上面７３が基板２の目視側前面２１に対して傾斜しているため、第３凸部７の見映えを高めることができる。
【００６４】
尚、着色層８をスモーク調の印刷層とすることも可能であり、第３凸部７を無色透明とすることも可能であり、半透過層８１を廃止することも可能である。第３凸部７を無色透明とし、半透過層８１を廃止した場合、発光ダイオードが消燈している際も、開口２５が消燈しているウォーニングとして目視され、開口２６が消燈しているターンインジケータとして目視される。
【００６５】
また、光拡散層８２と不透過層８３を廃止することも可能である。
【００６６】
また、図４において、側面層５２の上面５４を基板２の目視側前面２１に対して傾斜させるように、側面層５２を形成することが可能であり、図５において、第１輪郭層６の内側面６１を基板２の目視側前面２１に対して傾斜させるように、第１輪郭層６を形成することが可能である。これにより、第１凹部５や第１輪郭層６による凹部の見映えを高めることができる。
【００６７】
尚、上述した例に限らないで、これらの組み合わせや、他の種々の変形例が考えられる。
【図面の簡単な説明】
【００６８】
【図１】図１は、本発明の一実施形態による計器用表示板である文字盤１を備えるコンビネーションメータ１０の部分正面図である。
【図２】図２は、図１中のＩＩ部の拡大図である。
【図３】図３は、図２中のＩＩＩ−ＩＩＩ線拡大断面図である。
【図４】図４は、図３の第１変形例を示す拡大断面図である。
【図５】図５は、図３の第２変形例を示す拡大断面図である。
【図６】図６は、図３の第３変形例を示す拡大断面図である。
【図７】図７は、図１の変形例を示す正面図である。
【図８】図８は、図７中のＶＩＩＩ−ＶＩＩＩ線拡大断面図である。
【符号の説明】
【００６９】
１０  コンビネーションメータ、１  文字盤（計器用表示板）、２  基板
２１  目視側前面、２２  背景層、２３、２５、２６  開口、２４  背面
３  第１凸部（凸部）、３１  側面、３２  側面層、３３  頂面、３４  頂面層
４  第２凸部（凸部）、５  第１凹部（凹部）、５１  側面、５２  側面層
５３  底面、５４  上面、６  第１輪郭層（輪郭層）、６１  内側面
７  第３凸部（凸部）、７１  側面、７２  側面層、７３  上面、８  着色層
８１  半透光層、８２  光拡散層、８３  不透光層、２０  指針
３０  発光ダイオード、４０  プリント基板
【図１】
2009036638.tif 000003
【図２】
2009036638.tif 000004
【図３】
2009036638.tif 000005
【図４】
2009036638.tif 000006
【図５】
2009036638.tif 000007
【図６】
2009036638.tif 000008
【図７】
2009036638.tif 000009
【図８】
2009036638.tif 000010